(57)【要約】【課題】回路基板を固定する部品を他の部品と兼用することで製造コストを削減した光ディスク装置を提供することである。【解決手段】光ディスク装置は、光ピックアップユニット４を搭載するトラバースシャーシ２２と、孔２５ａを有し、トラバースシャーシ２２に載置される回路基板２５と、光ピックアップユニット４を移動可能に支持するガイドシャフト２３と、ガイドシャフト２３を保持するとともに、一端２６ａが孔２５ａに挿通されて回路基板２５を係止するバネ２６とを備える構成とする。【選択図】図１０
2014044768.tif 000002
【特許請求の範囲】
【請求項１】
光ピックアップユニットを搭載するトラバースシャーシと、
孔を有し、前記トラバースシャーシに載置される回路基板と、
前記光ピックアップユニットを移動可能に支持するガイドシャフトと、
前記ガイドシャフトを保持するとともに、一端が前記孔に挿通されて前記回路基板を係止するバネと、を備えた光ディスク装置。
【請求項２】
前記トラバースシャーシが、前記回路基板を支持する支持部を有することを特徴とする請求項１記載の光ディスク装置。
【請求項３】
前記支持部が、前記回路基板に当接する第１支持部を含むことを特徴とする請求項１又は２記載の光ディスク装置。
【請求項４】
前記支持部が、前記回路基板を係止する第２支持部を含むことを特徴とする請求項１〜３の何れかに記載の光ディスク装置。
【請求項５】
前記第２支持部は、前記第１支持部が当接する前記回路基板の辺とは異なる辺を係止することを特徴とする請求項４記載の光ディスク装置。
【請求項６】
前記支持部が、前記第２支持部が係止する前記回路基板の辺とは異なる辺を係止する第３支持部を含むことを特徴とする請求項４又は５記載の光ディスク装置。
【請求項７】
前記バネの一端の前記孔から突出した突出部が、前記回路基板を押さえるように曲がっていることを特徴とする請求項１〜６の何れかに記載の光ディスク装置。
【請求項８】
前記バネがねじりコイルバネであり、前記バネの他端が前記トラバースシャーシのバネ受部に係止されることを特徴とする請求項１〜７の何れかに記載の光ディスク装置。
【発明の詳細な説明】
【技術分野】
【０００１】
本発明は、ＢＤ（Blu-ray Disc）、ＤＶＤ（Digital Versatile Disc）等の光ディスクに対して記録／再生を行う光ディスク装置に関する。
【背景技術】
【０００２】
従来から、光ディスクを再生したり、光ディスクに記録したりする光ディスク装置において、製造コストを削減するために部品点数や工程数を減らす工夫が提案されている。例えば、特許文献１には、光学系の光軸の傾角調整やフォーカス調整を行うために用いる頭付きねじやばね体の必要数を削減する光学ディスク装置が開示されている。
【０００３】
また、光ディスク装置には様々な形態が提案されている。例えば、特許文献２には、光ピックアップユニットをガイドシャフトに沿って移動させるディスク装置が開示されている。
【先行技術文献】
【特許文献】
【０００４】
【特許文献１】特開２００４−１６４６８２号公報
【特許文献２】特開２００７−１８４０５４号公報
【発明の概要】
【発明が解決しようとする課題】
【０００５】
ところで、光ディスク装置においては、メイン回路基板と中継回路基板とを用いることが多い。例えば、各種モーターや光ピックアップユニットを中継回路基板を介してメイン回路基板に接続することがある。この場合、メイン回路基板及び中継回路基板は一般的にネジでシャーシに固定される。
【０００６】
しかしながら、部品点数や工程数を減らして製造コストを削減しようとする観点からは、上記のようなネジを用いてネジ締め工程を必要とする構成は避けたい。しかし、この課題を解決する手法は特許文献１、２には開示されていない。
【０００７】
本発明は、回路基板を固定する部品を他の部品と兼用することで製造コストを削減した光ディスク装置を提供することを目的とする。
【課題を解決するための手段】
【０００８】
上記目的を達成するために本発明の光ディスク装置は、光ピックアップユニットを搭載するトラバースシャーシと、孔を有し、前記トラバースシャーシに載置される回路基板と、前記光ピックアップユニットを移動可能に支持するガイドシャフトと、前記ガイドシャフトを保持するとともに、一端が前記孔に挿通されて前記回路基板を係止するバネと、を備えた構成とする。
【０００９】
この構成によると、バネは、回路基板を固定する役割と、ガイドシャフトを固定する役割とを有する。すなわち、回路基板を固定する部品とガイドシャフトを固定する部品とをバネで兼用している。
【００１０】
上記の光ディスク装置において、より安定して回路基板を固定するためには、前記トラバースシャーシが、前記回路基板を支持する支持部を有することが好ましい。
【００１１】
例えば、前記支持部は、前記回路基板に当接する第１支持部を含むことができる。
【００１２】
さらに安定して回路基板を支持するために、前記支持部は、前記回路基板を係止する第２支持部を含むことができる。
【００１３】
前記第２支持部は、前記第１支持部が当接する前記回路基板の辺とは異なる辺を係止することで、より安定して回路基板を支持することができる。
【００１４】
さらに安定して回路基板を支持するために、前記支持部は、前記第２支持部が係止する前記回路基板の辺とは異なる辺を係止する第３支持部を含むことができる。
【００１５】
さらに安定して回路基板を支持するために、前記バネの一端の前記孔から突出した突出部が、前記回路基板を押さえるように曲がっていてもよい。
【００１６】
また例えば、前記バネがねじりコイルバネであり、前記バネの他端が前記トラバースシャーシのバネ受部に係止される構成であってもよい。
【図面の簡単な説明】
【００１７】
【図１】本発明の一実施形態の光ディスク装置の構成を示すブロック図である。
【図２】本発明の一実施形態のトラバースアッシーの要部構成の上面図である。
【図３】図２の正面図である。
【図４】図２の右側面図である。
【図５】図２の底面図である。
【図６】本発明の一実施形態のトラバースアッシーの組み立て途中の斜視図である。
【図７】本発明の一実施形態のトラバースアッシーの組み立て途中の斜視図である。
【図８】本発明の一実施形態のトラバースアッシーの組み立て途中の斜視図である。
【図９】本発明の一実施形態のトラバースアッシーの組み立て途中の斜視図である。
【図１０】本発明の一実施形態のトラバースアッシーの組み立て途中の斜視図である。
【発明を実施するための形態】
【００１８】
以下、光ディスクが排出される側を前側とする。また、図６を基準に、光ディスクが排出される方向（紙面手前側）をＹ正方向、収納される方向（紙面奥側）をＹ負方向、紙面右方向でＹ軸に直交する方向をＸ正方向、紙面左方向でＹ軸に直交する方向をＸ負方向、紙面上方向でＸ−Ｙ面に直交する方向をＺ正方向、紙面下方向でＸ−Ｙ面に直交する方向をＺ負方向と定義する。
【００１９】
図１は、本発明の一実施形態の光ディスク装置の構成を示すブロック図である。光ディスク装置１は、光ディスク１５の情報の再生、及び光ディスク１５への情報の記録を行うことができる。２は、スピンドルモーターであり、光ディスク１５は、このスピンドルモーター２の上部に設けられるチャック部（ターンテーブル及びクランパー）に着脱可能に保持される。そして、光ディスク１５の情報の記録再生を行う際に、スピンドルモーター２は光ディスク１５を連続回転する。スピンドルモーター２の回転制御は、スピンドルモーター制御部３によって行われる。
【００２０】
４は、光ピックアップユニット（ＯＰＵ）であり、光源から出射される光ビームを光ディスク１５に照射し、光ディスク１５への情報の書き込みと、光ディスク１５に記録されている情報の読み取りを可能とする。
【００２１】
信号処理部８は、少なくともＲＦ信号処理部９とトラックエラー信号処理部１０とフォーカスエラー信号処理部１１とを含んでいる。そして、この信号処理部８において、光検出器（不図示）で変換された電気信号に基づいて、ＲＦ信号、トラックエラー信号（ＴＥ信号）、フォーカスエラー信号（ＦＥ信号）を生成する。ＲＦ信号はデータ復調部１２でデータに復調される。
【００２２】
ＴＥ信号及びＦＥ信号は、アクチュエータ制御部７に出力される。アクチュエータ制御部７は、これらの信号に基づいて、対物レンズを移動可能とする図示しないアクチュエータに駆動信号を供給する。駆動信号が供給されたアクチュエータは、信号に基づいて各部を作動させて、対物レンズを光軸と平行な方向に移動して、光ディスク１５の記録面１５ａにフォーカスを追従させるフォーカス制御や対物レンズを光ディスク１５の半径方向と平行な方向に移動して光ビームのスポット位置を光ディスク１５に形成されるトラック位置に追従させるトラッキング制御を行う。
【００２３】
その他、レーザ制御手段５は、光ピックアップ４に備えられる半導体レーザから成る光源（不図示）のレーザ出力を制御する。また、全体制御部１３は、スピンドルモーター制御部３、レーザ制御部５、ビームエキスパンダ制御部６、アクチュエータ制御部７、信号処理部８、及びデータ復調部１２等を制御して、装置全体のコントロールを行う。
【００２４】
図２は光ディスク装置１におけるトラバースアッシーの要部構成の上面図、図３は図２の正面図、図４は図２の右側面図、図５は図２の底面図、図６〜図１０は光ディスク装置１におけるトラバースアッシーの組み立て途中の斜視図である。
【００２５】
光ディスク装置１は外観を形成する装置本体の筐体内にドライブ装置を収容している。ドライブ装置は、ドライブ装置の各部材を収容するローダーシャーシ（不図示）と、光ディスク１５を搬送する複数のローラー（不図示）と、光ディスクの搬送方向（前後方向（Ｙ軸方向））に略垂直な方向（上下方向（Ｚ軸方向））に旋回して昇降可能なトラバースアッシー２１と、水平方向に移動してトラバースアッシー２１を昇降（上下動）させるカムスライダー（不図示）と、ローラー及びカムスライダーを複数のギヤを介して駆動するモーター（不図示）と、光ディスク１５をレーベル面側からチャッキングするクランパー（不図示）とを備えている。
【００２６】
また、トラバースアッシー２１は、トラバースシャーシ２２と、ＯＰＵ４と、トラバースシャーシ２２に固定され、ＯＰＵ４を光ディスク１５の径方向（前後方向（Ｙ軸方向））に移動可能に支持するガイドシャフト２３と、ＯＰＵ駆動用のステッピングモーター（不図示）と、トラバースシャーシ２２に固定された光ディスク１５回転用のスピンドルモーター２と、スピンドルモーター２の回転軸に挿嵌され、載置された光ディスク１５をクランパーとにより挟持するターンテーブル２４と、トラバースシャーシ２２に固定された中継回路基板２５と、ガイドシャフト２３を保持するとともに、中継回路基板２５を係止するバネ２６とを備えている。
【００２７】
トラバースシャーシ２２は、例えば板金部材であり、その後端がローダーシャーシに枢支され、係合するカムスライダーの移動によって昇降される。トラバースシャーシ２２は、中継回路基板２５を載置する載置部２２ａと、中継回路基板２５を支持する支持部とを有する。
【００２８】
載置部２２ａは、トラバースシャーシ２２のＯＰＵ４が収容される箇所よりも一段上面側の平面状の部分である。そして、載置部２２ａに続いて直線状の段差部２２ｂが形成されている。中継回路基板２５は、載置部２２ａに載置され、段差部２２ｂでＸ軸方向に位置決めされるとともに、Ｘ負方向に外れないように支持されている。なお、段差部２２ｂは必ずしも必要ではない。
【００２９】
支持部は、本実施形態では第１〜第３支持部２２ｃ〜２２ｅからなるが、その個数に限定はない。第１支持部２２ｃは、載置部２２ａの前方に続く平面上に形成された直方体の突起であり、例えば、板金部材のトラバースシャーシ２２をハーフパンチ加工することで形成される。第１支持部２２ｃは中継回路基板２５に当接することで、中継回路基板２５を水平前後方向（Ｙ軸方向）に位置決めするとともに、中継回路基板２５が前側（Ｙ正方向）に外れないように支持している。
【００３０】
第２支持部２２ｄは、載置部２２ａ及び段差部２２ｂに続いて形成されたＬ字型の突起であり、例えば、板金部材のトラバースシャーシ２２を切り起こすことで形成される。第２支持部２２ｄは、載置部２２ａに垂直な部分と、その垂直な部分から載置部２２ａ側に平行に延出した部分とからなる。これにより、第２支持部２２ｄは、中継回路基板２５の底面を挟んで係止する。よって、第２支持部２２ｄは、中継回路基板２５がＺ正方向へ外れないように支持している。
【００３１】
また、第２支持部２２ｄは、第１支持部２２ｃが当接する中継回路基板２５の辺とは異なる辺を係止することで、安定して中継回路基板２５を支持できる。また、段差部２２ｂがない場合でも、第２支持部２２ｄが中継回路基板２５をＸ軸方向に位置決めするとともに、Ｘ負方向に外れないように支持する。
【００３２】
第３支持部２２ｅは、第１及び／又は第２支持部２２ｃ、２２ｄが支持する中継回路基板２５の辺とは異なる辺を係止する。具体的には、第３支持部２２ｅは、載置部２２ａの後方に続く突条部を切り欠いて形成された鉤型の切り欠きであり、例えば、板金部材のトラバースシャーシ２２を切り起こすことで形成される。第３支持部２２ｅは、載置部２２ａに垂直な部分と、その垂直な部分から載置部２２ａ側に平行に延出した部分とからなる。
【００３３】
これにより、第３支持部２２ｅは、中継回路基板２５の底面を挟んで係止する。よって、第３支持部２２ｅは、中継回路基板２５がＺ正方向へ外れないように支持し、さらに、Ｙ軸方向に位置決めするとともに、中継回路基板２５が後側（Ｙ負方向）に外れないように支持している。
【００３４】
中継回路基板２５は、各種モーターや光ピックアップユニットの電気的接続を中継する回路基板である。本実施形態ではＦＦＣ（フレキシブルフラットケーブル）２８を用いて中継回路基板と、ステッピングモーター、スピンドルモーター２、ＯＰＵ４、メイン回路基板等とを接続している。
【００３５】
中継回路基板２５は、バネ２６の一端を挿通するための表裏に貫通した円形の孔２５ａを有する。なお、孔２５ａの形状には限定はなく、例えば、バネ２６と接する部分にバネ２６の形状に合った溝を設けてもよい。これにより、中継回路基板２５を位置決めできるとともに、固定もできる。中継回路基板２５はトラバースシャーシ２２の載置部２２ａに載置される。
【００３６】
バネ２６は、本実施形態では、ねじりコイルバネを用いている。そして、トラバースシャーシ２２に形成された穴２２ｆにバネ２６のコイル部分の一部が嵌め込まれている。これにより、バネ２６のおおよその位置決めがなされている。バネ２６のコイル部分にはガイドシャフト２３の一端が挿嵌されている。
【００３７】
また、バネ２６の一端２６ａの線部分が、重なっているトラバースシャーシの孔２２ｇ及び中継回路基板２５の孔２５ａに挿通されて中継回路基板２５ａを係止している。一方、バネ２６の他端２６ｂの線部分はトラバースシャーシ２２に形成されたバネ受部２２ｈに係止されている。バネ受部２２ｈは、例えば、板金部材のトラバースシャーシ２２の上面の一部を切り起こすことで形成される。
【００３８】
バネ２６は、中継回路基板２５の孔２５ａを挿通しているので、中継回路基板２５をＸ−Ｙ面方向に位置決めするとともに、Ｘ−Ｙ面方向に外れないように支持している。また、バネは中継回路基板２５の孔２５ａを斜めに付勢（係止）しているので、若干ながら中継回路基板２５がＺ正方向に外れないように支持している。
【００３９】
このように、中継回路基板２５は、載置部２２ａに載置されることでＺ負方向へ外れないように支持されている。また、中継回路基板２５は、段差部２２ｂによってＸ軸方向に位置決めされるとともに、Ｘ負方向に外れないように支持されている。また、中継回路基板２５は、第１支持部２２ｃによってＹ軸方向に位置決めされるとともに、Ｙ正方向に外れないように支持されている。また、中継回路基板２５は、第２支持部２２ｄによってＺ正方向へ外れないように支持されている。また、中継回路基板２５は、第３支持部２２ｅによってＺ正方向へ外れないように支持され、Ｙ軸方向に位置決めされ、Ｙ負方向に外れないように支持されている。また、中継回路基板２５は、バネ２６によってＸ−Ｙ面方向に位置決めされ、Ｘ−Ｙ面方向に外れないように支持され、Ｚ正方向に外れないように支持されている。したがって、中継回路基板２５は全方向に対して支持されているので、トラバースシャーシ２２に固定されることになる。
【００４０】
ガイドシャフト２３は、バネ２６によってＺ正方向へ付勢され、トラバースシャーシ２２の上面の一部が切り起こされて形成された鉤型のガイドシャフト受部２２ｉによってＺ負方向へ支持されることで、上下方向（Ｚ軸方向）に保持されている。また、ガイドシャフト２３はガイドシャフト受部２２ｉとトラバースシャーシ２２の段差部分の側壁とによってＸ軸方向に保持されている。また、ガイドシャフト２３はトラバースシャーシ２２に形成された円柱状の突起部２２ｊに当接可能とすることでＹ正方向に抜けないようになっている。
【００４１】
したがって、バネ２６は、中継回路基板２５を固定する役割と、ガイドシャフト２３を固定する役割とを有する。すなわち、中継回路基板２５を固定する部品とガイドシャフト２３を固定する部品とをバネで兼用している。よって、ネジ等を用いなくても中継回路基板２５を固定することができ、製造コストを削減することができる。
【００４２】
なお、バネ２６の一端２６ａの孔２５ａから突出した突出部が、中継回路基板２５を押さえるように曲がっていてもよい。この場合、トラバースシャーシ２２の第１〜第３支持部２２ｃ〜２２ｅがなくても中継回路基板２５を安定して固定することができる。この突出部は、バネ２６を組み付けた後に曲げてもよいし、バネを組み付ける前から曲がっていてもよい。
【００４３】
また、中継回路基板２５に第２の孔を設け、バネ２６の他端２６ｂを第２の孔に挿通して中継回路基板２５を係止するようにしてもよい。これにより、中継回路基板２５の位置決め精度が向上するとともに、中継回路基板２５をより安定して固定することができる。
【００４４】
次に、図６〜図１０を参照してトラバースアッシーの組み立て手順を説明する。まず、図６のように、中継回路基板２５が取り付けられていない状態のトラバースアッシーを準備する。次に、図７のように、中継回路基板２５を載置部２２ａに載置して第１支持部２２ｃに当接させる。そして、中継回路基板２５をＸ負方向にスライドさせ、図８のように、段差部２２ｂに当接させるとともに、第２及び第３支持部２２ｄ、２２ｅに係止させる。この状態で孔２２ｇと孔２５ａとが重なっている。次に、図９のように、バネ２６の一端２６ａを穴２２ｆ、孔２２ｇ、孔２５ａの順に挿通し、バネ２６のコイル部分の一部を穴２２ｆに嵌め、バネ２６の他端をバネ受部２２ｈに係止させる。そして、図１０のように、ガイドシャフト２３をガイドシャフト受部２２ｉにくぐらせ、バネ２６のコイル部分に挿嵌させ、突起部２２ｊに当接させる。
【００４５】
次に、上記の構成の光ディスク装置１の動作について説明する。光ディスク１５が挿入されると、モーターの駆動により光ディスク１５が光ディスク装置１内に搬送されるとともに、カムスライダーが移動してトラバースアッシー２２を上昇させる。これにより、クランパー２３とターンテーブル２４とが係合し、光ディスク１５がチャッキングされる。
【００４６】
光ディスク１５がチャッキングされると、カムスライダーへのモーターの駆動力伝達が解除されてカムスライダー及びトラバースアッシー２２が停止する。続いてステッピングモーターの駆動によりＯＰＵが所定位置に移動し、スピンドルモーター２により回転されている光ディスク１５に対して記録又は再生を行う。また、光ディスクを取り出す際には上記と逆の動作が行われる。
【００４７】
また上記の実施形態では、光ディスクを直接的に収納及び排出するディスクローディング機構を有する光ディスク装置を例に説明したが、本発明はクランパーによって光ディスクをチャッキングする光ディスク装置であれば適用できる。例えば、本発明は光ディスクを載置して搬送するトレイを用いて光ディスクを収納及び排出するディスクローディング機構を有する光ディスク装置にも適用できる。
【産業上の利用可能性】
【００４８】
本発明は、ＢＤ、ＤＶＤ、ＣＤ（Compact Disc）等の光ディスクを再生する再生装置や光ディスクに記録することもできる記録再生装置をはじめとする光ディスク装置に利用することができる。例えば、ＢＤ・ＤＶＤプレーヤー、ＢＤ・ＤＶＤレコーダー、テレビ一体型ＢＤ・ＤＶＤレコーダー、ＢＤ・ＤＶＤ記録再生装置搭載のパーソナルコンピューターなどが挙げられる。
【符号の説明】
【００４９】
１  光ディスク装置
４  光ピックアップユニット
２２  トラバースシャーシ
２５  中継回路基板（回路基板）
２３  ガイドシャフト
２６  バネ
２６ａ  バネの一端
２６ｂ  バネの他端
２２ｃ  第１支持部
２２ｄ  第２支持部
２２ｅ  第３支持部
２２ｈ  バネ受部
【図１】
2014044768.tif 000003
【図２】
2014044768.tif 000004
【図３】
2014044768.tif 000005
【図４】
2014044768.tif 000006
【図５】
2014044768.tif 000007
【図６】
2014044768.tif 000008
【図７】
2014044768.tif 000009
【図８】
2014044768.tif 000010
【図９】
2014044768.tif 000011
【図１０】
2014044768.tif 000012